(57)【要約】 【課題】  包装中仕切用原紙の有効利用を図り、手軽に中仕切用シートを得る。【解決手段】  包装中仕切用原紙につなぎ部１２を余白部１０に連繋させて残し、つなぎ部１２の両側に切目１４ｂ、１６ｂを介して内側分割縦片部１４、１４と外側縦片１６、１６をそれぞれ開閉自在に設けてなる一対の中仕切用シート２０、２０が設けられ、両内側分割縦片部１４、１４の一側の糊代部１４ａ、１４ａが接着されてなるもの。【選択図】  図１２
2007145427.tif 000002
【特許請求の範囲】
【請求項１】
方形の包装中仕切用原紙において、四辺寄りに包装用中仕切の横片部を構成する余白部が残され、
上下方向の余白部に連繋された上下方向の主つなぎ部が残され、
該主つなぎ部の一側に包装用中仕切の升目を構成し、縦片部の一部となる内側分割縦片部が主切目を介して開閉自在に設けられるとともに該内側分割縦片部の一側に糊代部が形成され、
該主つなぎ部の他側に第２の主切目を介して外側縦片部が開閉自在に設けられてなる一対の包装中仕切用シートが設けられ、
一方の包装中仕切用シートの該糊代部と他方の包装中仕切用シートの該糊代部が接着され、接着された両内側分割縦片部、外側縦片部および余白部により升目が形成されてなることを特徴とする折り畳み自在な包装用中仕切。
【請求項２】
方形の包装中仕切用原紙において、四辺のうち、少なくとも上下方向の二辺寄りに包装用中仕切の横片部を構成する余白部が残され、
上下方向の余白部に連繋された上下方向の主つなぎ部が残され、
該主つなぎ部の一側に包装用中仕切の升目を構成する縦片部の一部となる内側分割縦片部が主切目を介して開閉自在に設けられるとともに該内側分割縦片部の一側に糊代部が形成され、
該主つなぎ部の他側に第２の主切目を介して外側縦片部が開閉自在に設けられてなる一対の包装中仕切用シートが設けられ、
一方の包装中仕切用シートの該糊代部と他方の包装中仕切用シートの該糊代部が接着され、接着された両内側分割縦片部、外側縦片部および余白部により升目が形成されてなることを特徴とする折り畳み自在な包装用中仕切。  
【請求項３】
該主つなぎ部の上下方向に略Ｖ字状の従切目が設けられてなることを特徴とする請求項１又は２記載の折り畳み自在な包装用中仕切。
【請求項４】
該主つなぎ部の上下方向の延長上に折目が形成されてなることを特徴とする請求項１、２又３は記載の折り畳み自在な包装用中仕切。
【請求項５】
該主つなぎ部の上下方向の延長上に倒立三角状の従つなぎ部が上下方向の余白部に連繋して形成されてなることを特徴とする請求項１、２、３又は４記載の折り畳み自在な包装用中仕切。
【請求項６】
包装用箱内に収容したときに、包装用箱の側片との間の隙間を減少することにより、妄動を抑制するように余白部に開閉自在な妄動抑制片が備えられてなることを特徴とする請求項１、２、３、４又は５記載の折り畳み自在な包装用中仕切。
【請求項７】
一方の包装中仕切用シートの該内側分割縦片部と他方の包装中仕切用シートの該内側分割縦片部の幅方向の長さが長短に分けて設けられ、両内側分割縦片部の糊代部が接着されることにより、接着部が升目の中心からずれ、片寄せられてなることを特徴とする請求項１、２、３、４、５又は６記載の折り畳み自在な包装用中仕切。
【請求項８】
展開したときに形成される升目の幅方向の距離に等しい幅を有する折り畳み自在な規制片が一対の包装中仕切用シート間に設けられてなることを特徴とする請求項１、２、３、４、５、６又は７記載の折り畳み自在な包装用中仕切。
【請求項９】
該折り畳み自在な規制片の対向位置において、展開したときに形成される升目の幅方向の距離に等しい幅を有する折り畳み自在な第２の規制片が一対の包装中仕切用シート間に設けられてなることを特徴とする請求項１、２、３、４、５、６、７又は８記載の折り畳み自在な包装用中仕切。  
【請求項１０】
両内側分割縦片部および外側縦片部の組からなる仕切用縦片部が包装中仕切用原紙に二組以上連設されてなることを特徴とする請求項１、２、３、４、５、６、７、８又は９記載の折り畳み自在な包装用中仕切。  
【請求項１１】
包装中仕切用シートが段ボールなどの紙材であることを特徴とする請求項１、２、３、４、５、６、７、８、９又は１０記載の折り畳み自在な包装用中仕切。折り畳み自在な包装用中仕切  
【請求項１２】
包装中仕切用シートが硬質プラスチックスであることを特徴とする請求項１、２、３、４、５、６、７、８、９又は１０記載の折り畳み自在な包装用中仕切。折り畳み自在な包装用中仕切。  
【発明の詳細な説明】
【技術分野】
【０００１】
この発明は、段ボール箱などの包装用箱内に収容して被包装物を包装する折り畳み自在な包装用中仕切に関する。
【背景技術】
【０００２】
被包装物を包装するために、包装用箱内にいわゆるスリットを備えた組仕切と称されている包装用仕切を組立てることにより升目を形成し、升目内に被包装物を入れ、被包装物が包装されることは当業界で周知のとおりである。
この種の組仕切は手軽に生産できる有利性を備えているものの、使用に際して組み立てる作業を必要とするから、利便性に欠ける問題点が解消されていない。
【０００３】
そこで、伝統的な組仕切を改良する例として、たとえば、特開２０００−６９５３号公報（特許文献１）の発明が知られている。
この発明は、ボトル収納段ボール箱の組仕切において、一方の仕切板１００の差込溝をボトル肩位置以下に設けると共に、前記ボトル肩位置より上方の仕切をボトル首に沿った形状とし、他方の仕切板１０２を前記ボトル肩位置の高さにして前記の一方の仕切板１００に差し込めるようにしてなり、前記双方の仕切板１００、１０２の前記ボトル肩位置より上方に空間を形成してなるもので、ボトル首部分のスペースを利用してプレミアム物品を収容できるようにし、箱の大きさを変更する必要性などをなくしたものである（図２６を参照）。
【０００４】
しかし、スリットを備えた組仕切を組み立てる作業は、煩雑であるから、この煩雑さを解消することを目的としてたとえば、特開平４−３２７１５０号公報（特許文献２）記載の発明が知られている（図２７を参照）。
【０００５】
特許文献２の背景技術は、矩形段ボールの長手方向の中央に二つ折用の折目１０４が設けられ、長手方向の両縁端からそれぞれ所定の距離を隔てて、底面成形用目１０６，１０８がそれぞれ設けられ、前記した二つ折用の折目１０４と両側の底面成形用折目１０６、１０８との間にそれぞれ主仕切壁１１０、１１２が形成され、前記の両側の底面成形用折目１０６、１０８と両縁端との間に底面１１４、１１４がそれぞれ形成され、前記した両側の主仕切壁１１０、１１２の所定箇所に矩形状をした複数の副仕切壁１１８、１１８を連接状に切起形成せるために前記の両側の底面成形用折目１０６、１０８に跨がらせて複数の切起用切目１２０をそれぞれ備えた中仕切用台紙である。
【０００６】
そして、前記した中仕切用台紙が、二つ折用の折目１０４と両側の底面成形用折目１０６、１０８に沿って裏側向きに半ば折り曲げて折り癖を付け、底面成形用折目１０６、１０８を表側に直角に折り返すと共に、二つ折用の折目１０４を完全に二つ折りにすることにより、複数の副仕切壁１１８が切起用切目１２０を介して自ら直角に折曲される。
【０００７】
かくして、背中合わせに縦向きに折り重ねられた主仕切壁１１０、１１２の両側には４箇所の副仕切壁１１８が形成され、６個の仕切区画を備えた中仕切が殆どワンタッチ操作で折り上がるものであり、主仕切壁１１０、１１２の下端には、底面１１４が水平に形成されることや従来のように、複数枚の段ボールを組み合わせて中仕切を作る厄介な手間は一切不要化するなどが記載されている。
【特許文献１】特開２０００−６９５３号公報
【特許文献２】特開平４−３２７１５０号公報
【発明の開示】
【発明が解決しようとする課題】
【０００８】
特許文献１の背景技術は、差込溝を備えた一方の仕切板１００と他方の仕切板１０２を設け、両者の差込溝を組み合わせることにより、手軽に利用できることのほか上方に空間の増加を図ることのできるなどの有利性を有するものの、使用時において一方の仕切板１００と他方の仕切板１０２を組み合わせる作業を欠くことができなく、依然として、その作業は煩雑であった。
【０００９】
他方、特許文献２の背景技術には、「底面成形用折目を表側に直角に折り返すと共に、二つ折用の折目１０４を完全に二つ折りにすることにより、複数の副仕切壁１１８が切起用切目１２０を介して自ら直角に折曲される。
かくして、背中合わせに縦向きに折り重ねられた主仕切壁１１０、１１２の両側には４箇所の副仕切壁１１８が形成され、６個の仕切区画を備えた中仕切が殆どワンタッチ操作で折り上がるものである。」ことが記載されているものの、６個の仕切区画を備えた中仕切が殆どワンタッチ操作で折り上がるとは下記の理由によりいえない。
【００１０】
（１）二つ折用の折目１０４と両側の底面成形用折目１０６、１０８に沿って裏側向きに半ば折り曲げて折り癖を付ける。
（２）底面成形用折目１０６、１０８を表側に直角に折り返すと共に、二つ折用の折目１０４を完全に二つ折りしても、前記（１）および（２）の応力は決して副仕切壁１１８や切起用切目１２０に作用することなく、底面側の副仕切壁１１８の一部（図面上三角形の部分）は、底面１１４と共に底面形成用折目１０６、１０８を境にして水平に連接された状態になるに止まる。
一方、底面形成用折目１０６、１０８の内側の副仕切壁１１８の大部分は主仕切壁１１０、１１２と同一水平面に止まっている。
【００１１】
この背景技術では、６個の仕切区画を備えた中仕切を得るためには、結局、副仕切壁１１８を切起用切目１２０を境にして手作業に直角に折曲し、また、底面側の一部の副仕切壁１１８を底面成形用折目１０６、１０８と斜折り目１２２を境にして手作業により底面に沿わせて折曲させることを必須とする。
【００１２】
以上の理由により特許文献２の背景技術は、一枚の段ボールの所用の複数箇所に折り目や切れ目を設けることにより、中仕切用台紙を得ることのできる有利性を備えるものの、主仕切壁１１０、１１２の両側の４箇所に縦向きの副仕切壁１１８を形成して升目を得るようにするにはワンタッチの作業では実施できなく、使用上の利便性に欠ける問題点があった。
【００１３】
この発明の目的は、段ボールなどの中仕切材料用シートの所用の複数箇所に折り目や切れ目を設けることにより、升目を形成する横片部と縦片部を備えた中仕切用シートを手軽に得ることと併せていわゆるワンタッチ作業により使用できる升目を備えた中仕切を提供し、さらに包装中仕切用原紙の有効利用を図り、材料の節約に寄与することにある。
【００１４】
他の目的は、二枚の中仕切用シートの糊代部を互いに接着し易くし、中仕切の生産性の向上化を図ることにある。
【００１５】
他の目的は、升目を形成する縦片部を確実に伸縮できるようにすることにある。
【００１６】
さらに、他の目的は、仕切の強度の増加と使用時の姿勢の安定性を図ることにある。
【００１７】
本発明の課題を解決するための第１の手段は、
方形の包装中仕切用原紙において、四辺寄りに包装用中仕切の横片部を構成する余白部が残され、
上下方向の余白部に連繋された上下方向の主つなぎ部が残され、
該主つなぎ部の一側に包装用中仕切の升目を構成し、縦片部の一部となる内側分割縦片部が主切目を介して開閉自在に設けられるとともに該内側分割縦片部の一側に糊代部が形成され、
該主つなぎ部の他側に主切目を介して外側縦片部が開閉自在に設けられてなる一対の包装中仕切用シートが設けられ、
一方の包装中仕切用シートの該糊代部と他方の包装中仕切用シートの該糊代部が接着され、接着された両内側分割縦片部、外側縦片部および余白部により升目が形成されてなることを特徴とする折り畳み自在な包装用中仕切である。
【００１８】
本発明の課題を解決するための第２の手段は、方形の包装中仕切用原紙において、四辺のうち、少なくとも上下方向の二辺寄りに包装用中仕切の横片部を構成する余白部が残され、
上下方向の余白部に連繋された上下方向の主つなぎ部が残され、
該主つなぎ部の一側に包装用中仕切の升目を構成する縦片部の一部となる内側分割縦片部が主切目を介して開閉自在に設けられるとともに該内側分割縦片部の一側に糊代部が形成され、
該主つなぎ部の他側に主切目を介して外側縦片部が開閉自在に設けられてなる一対の包装中仕切用シートが設けられ、
一方の包装中仕切用シートの該糊代部と他方の包装中仕切用シートの該糊代部が接着され、接着された両内側分割縦片部、外側縦片部および余白部により升目が形成されてなることを特徴とする折り畳み自在な包装用中仕切である。  
【００１９】
本発明の課題を解決するための第３の手段は、第１又は第２の手段において、
該主つなぎ部の上下方向に略Ｖ字状の従切目が設けられてなることを特徴とする請折り畳み自在な包装用中仕切である。
【００２０】
本発明の課題を解決するための第４の手段は、第１、第２又は第３の手段において、該主つなぎ部の上下方向の延長上に折目が形成されてなることを特徴とする折り畳み自在な包装用中仕切である。
【００２１】
本発明の課題を解決するための第５の手段は、第１、第２、第３又は第４の手段において、該主つなぎ部の上下方向の延長上に倒立三角状の従つなぎ部が上下方向の余白部に連繋して形成されてなることを特徴とする折り畳み自在な包装用中仕切である。
【００２２】
本発明の課題を解決するための第６の手段は、第１、第２、第３、第４又は第４の手段において、包装用箱内に収容したときに、包装用箱の側片との間に隙間を減少することにより、妄動を抑制するように余白部に開閉自在な妄動抑制片が備えられてなることを特徴とする折り畳み自在な包装用中仕切である。
【００２３】
本発明の課題を解決するための第６の手段は、第１、第２、第３又は第５の手段において、包装用箱内に収容したときに、包装用箱の側片との間の隙間を減少することにより、妄動を抑制するように該余白部に開閉自在な妄動抑制片が備えられてなることを特徴とする折り畳み自在な包装用中仕切である。
【００２４】
本発明の課題を解決するための第７の手段は、第１、第２、第３、第４、第５又は第６の手段において、一方の包装中仕切用シートの該内側分割縦片部と他方の包装中仕切用シートの該内側分割縦片部の幅方向の長さが長短に分けて設けられ、両内側分割縦片部の糊代部が接着されることにより、接着部が升目の中心からずれ、片寄せられてなることを特徴とする折り畳み自在な包装用中仕切である。
【００２５】
本発明の課題を解決するための第８の手段は、第１、第２、第３、第４、第５、第６又は第７の手段において、展開したときに形成される升目の幅方向の距離に等しい幅を有する折り畳み自在な規制片が一対の包装中仕切用シート間に設けられてなることを特徴とす折り畳み自在な包装用中仕切である。
【００２６】
本発明の課題を解決するための第９の手段は、第１、第２、第３、第４、第５、第６、第７又は第８の手段において、該折り畳み自在な規制片の対向位置において、展開したときに形成される升目の幅方向の距離に等しい幅を有する折り畳み自在な第２の規制片が一対の包装中仕切用シート間に設けられてなることを特徴とする折り畳み自在な包装用中仕切である。  
【００２７】
本発明の課題を解決するための第１０の手段は、第１、第２、第３、第４、第５、第６、第７、第８又は第９の手段において、両内側分割縦片部および外側縦片部の組からなる仕切用縦片部が包装中仕切用原紙に二組以上連設されてなることを特徴とする折り畳み自在な包装用中仕切である。  
【００２８】
本発明の課題を解決するための第１１の手段は、第１、第２、第３、第４、第５、第６、第７、第８、第９又は第１０の手段において、包装中仕切用シートが段ボールなどの紙材であることを特徴とする折り畳み自在な包装用中仕切である。
【００２９】
本発明の課題を解決するための第１２の手段は、第１、第２、第３、第４、第５、第６、第７、第８、第９又は第１０の手段において、包装中仕切用シートが硬質プラスチックスであることを特徴とする折り畳み自在な包装用中仕切である。  
【発明の効果】
【００３０】
本発明の課題を解決するための第１の手段は、上記の構成であるから、刃物により方形の包装中仕切用原紙に主つなぎ部を残して両側に主切目を設けることにより、該原紙の余白部を包装用中仕切の横片部として構成でき、主切目により糊代部付の開閉自在な内側分割縦片部と外側縦片部を簡便に得ることができる利点のほか、一対の包装中仕切用シートを向かい合わせて配置させ、該内側分割縦片部の糊代部を接着させることにより、折り畳み自在な包装用中仕切を得ることができるから、包装用中仕切の一対の包装中仕切用シートを互いに異方向に引っ張るだけで使い勝手にすぐれた６個の升目を備えた包装用中仕切を使用できる。
また、方形の包装中仕切用原紙の余白部を横片部に採用し、該原紙に主切目を設けるだけで縦片部を備えた包装中仕切用シートを得ることができるから、包装用中仕切の生産が楽にできるほか、材料の無駄な使用が少ないから材料の節約に大きく寄与できる。
因みに、伝統的な組仕切では、横片用の仕切板、縦片用の仕切板を別々に二枚必要としたが、この発明では一枚の包装中仕切用原紙から、横片部および縦片部を得ることができるので、材料の使用量を半減できる。
【００３１】
本発明の課題を解決するための第２の手段は、上記の構成であるから、第１の手段が奏する効果のほか次の作用効果を奏する。
この発明は、包装中仕切用原紙において、余白部を横片部として採用し、余白部を除く部分を縦片部として利用することにより、前記の第１の手段の発明に比較して、材料の有効使用を意図したものである。
【００３２】
余白部（換言すれば横片部である）の面積を必要かつ最小限に制約することにより、反対に縦片部（内側分割縦片部と外側縦片部）の設定範囲を拡大できる。
この発明では、方形の包装中仕切用原紙において、四辺のうち、少なくとも上下方向の二辺寄りに包装用中仕切の横片部を構成する余白部が残された方形の包装中仕切用原紙を材料に採用したものである。
【００３３】
したがって、包装中仕切用原紙の左右方向に、余白部を残存させることが予定されていなから、余白部が残存しない分だけ、包装中仕切用原紙の左右方向を有効活用できるので、内側分割縦片部と外側縦片部の面積を前記の第１の手段に比較して大きく設定できる。
【００３４】
この結果、内側分割縦片部と外側縦片部の幅方向の距離を大きく採用できるから、包装用箱内に包装用中仕切を開いて収容したとき、包装用箱の側板と外側縦片部との間に隙間を生じないようにできるから、包装用中仕切が妄動しない。
【００３５】
本発明の課題を解決するための第３の手段は、上記の構成であるから、第１又は第２の手段が奏する効果のほか次の作用効果を奏する。
略Ｖ字状の従切目が設けられているから、主つなぎ部を介してその両側に設けられれた内側分割縦片部と外側縦片部を開閉し易い。
【００３６】
本発明の課題を解決するための第４の手段は、上記の構成であるから、第１、第２又は第３の手段が奏する効果のほか、主つなぎ部の延長上に折目が設けられているから、内側分割縦片部と外側縦片部を一層開閉し易い。  
【００３７】
本発明の課題を解決するための第５の手段は、上記の構成であるから、第１、第２、第３又は第４の手段が奏する効果のほか、該主つなぎ部の上下方向の延長上に倒立三角状の従つなぎ部が余白部に連繋して形成されてなるから、主つなぎ部を介して一体の内側分割縦片部と外側縦片部の従切目側画側の千切れを抑制できる。  
【００３８】
本発明の課題を解決するための第６の手段は、上記の構成であるから、第１、第２、第３、第４又は第５の手段が奏する効果のほか、余白部に開閉自在な妄動抑制片が備えられてなるから、包装用箱内に収容し、展開させたときに箱の側片との間の隙間を妄動抑制片によって埋めることができるので、包装用中仕切を包装用箱内で妄動しないようにできる。
【００３９】
本発明の課題を解決するための第７の手段は、上記の構成であるから、第１、第２、第３、第４、第５又は第６の手段が奏する効果のほか、該内側分割縦片部の幅方向の距離が長短に分けて設けられ、両内側分割縦片部の糊代部が接着されることにより、段部として発生する接着部を升目の中心からずれ、片寄せることができるので、たとえば、ラベルを貼付した断面円形のワインボトルのラベルに接着部が当接しないのでラベルを損傷させないようにできる。
【００４０】
本発明の課題を解決するための第８の手段は、上記の構成であるから、第１、第２、第３、第４、第５、第６又は第７の手段が奏する効果のほか、展開したときに形成される升目の幅方向の距離に等しい幅を有する折り畳み自在な規制片が備えられているから、展開時の姿勢の安定制御に寄与できる。
【００４１】
その上、両者の糊代部の接着に備え、規制片を介して一方の包装中仕切用シートを裏返し、他方の包装中仕切用シートを他側へずらして重ね合わせるだけで、一方の包装中仕切用シートの内側分割縦片部の糊代部と他方の包装中仕切用シートの糊代部の位置決めを容易にできるから、両糊代部の接着工程を容易に実施できる。
【００４２】
とりわけ、規制片と他方の包装中仕切用シートの境を基準にして規制片を一方の包装中仕切用シートとともに他方の包装中仕切用シート側に重合させるだけで、上下二枚の包装中仕切用シートの内側で可視できない対向する両糊代部の位置合わせができるから、予め糊代部に接着材を塗布しておくことにより、両糊代部を圧着させて糊代部を楽に接着できる。  
【００４３】
本発明の課題を解決するための第９の手段は、上記の構成であるから、第１、第２、第３、第４、第５、第６、第７又は第８手段が奏する効果のほか、規制片の対向位置において、第２の規制片が備えられているから、第８の手段に比較して一層、展開時の姿勢の安定制御に寄与できる。
【００４４】
本発明の課題を解決するための第１０の手段は、上記の構成であるから、第１、第２、第３、第４、第５、第６、第７、第８又は第９手段が奏する効果のほか、両内側分割縦片部および外側縦片部の組からなる仕切用縦片部が包装中仕切用原紙に二組以上連設されてなるから、多数の升目を備えた包装用中仕切を得ることができる。
【００４５】
本発明の課題を解決するための第１１の手段は、上記の構成であるから、
第１、第２、第３、第４、第５、第６、第７、第８、第９又は第１０の手段が奏する効果のほか、包装中仕切用原紙の材料に紙材を採用できる。
【００４６】
本発明の課題を解決するための第１２の手段は、上記の構成であるから、
第１、第２、第３、第４、第５、第６、第７、第８、第９又は第１０の手段が奏する効果のほか、包装中仕切用原紙の材料に硬質プラスチックスを採用できる。
【発明を実施するための最良の形態】
【００４７】
製造工程の簡素化を図りつつ、使用時に格子状の升目を備えた折り畳み自在な包装用中仕切を手軽に得るとういう目的を、最小の部品点数と少ない生産工程でその機能を損なうことなく実現した。
【実施例１】
【００４８】
この発明は、二枚の方形の包装中仕切用原紙を一単位として１２個の升目を備えた包装用中仕切の例である（図１ないし図４を参照）。
方形の包装中仕切用原紙から追って説明する一方の包装中仕切用シート６４Ａおよび他方の包装中仕切用シート６４Ｂを得るが、これらの一対の包装中仕切用シート６４Ａ、６４Ｂの構成は共通であるから、一方の包装中仕切用シート６４Ａの構成を説明する。
【００４９】
四辺寄りに包装用仕切の横片部を構成することになる余白部１０が残存されている。
この実施の形態では、ワインボトルＷの収納を意図しているから、図面上、上方に仕切の横片部を構成することになる余白部１０の面積が広く、左右および下方の余白部１０の面積は狭い。 
余白部１０の少ない部分は、換言すれば、仕切の縦片部を構成する部分が多く占めるといえる。
縦片部を除く余白部１０は全て横片部といえる。
ワインボトルＷは一般的に上方が細く、下方が太いからその下方部分を横片部と縦片部からなる升目により保護することを目的として包装中仕切用原紙の下方に縦片部が構成される。
【００５０】
この明細書において、用語「横片部」と「縦片部」とは説明の便宜上のもので、図面上の包装用中仕切を反転させたとき、用語「横片部」と「縦片部」とは、それぞれ反対になることは容易に理解できるであろう。
【００５１】
この例では、余白部１０を四辺寄りに設けることにより、横片部を主として四辺寄りに形成し、縦片部を使用時の下方に設けるようにしている。
【００５２】
包装中仕切用原紙は、一般的には段ボールやクラフト紙などの紙材であるが、硬質プラスチックスも発明者は予定している。
紙材を使用する場合、使用時に縦片部や横片部が揺れないように姿勢の制御を図ることのできるよう、一定の肉厚たとえば０．５〜１ｍｍ程度のものが好ましい。
【００５３】
一方の包装中仕切用シート６４Ａには図面上、左側から右側にかけて三片の一側縦片部４８Ａ、中側縦片部４８Ｃ、他側縦片部４８Ｂが主切目４２ｂ、５８ｂ、６２ｂ、５２ｂを介して開閉自在に設けられているが、主つなぎ部４０、５６ａ、４０ａを介して上下方向の余白部１０に連繋されている。
【００５４】
上下方向の余白部１０に連繋された上下方向の主つなぎ部４０、５６ａ、４０ａが形成され、これらの主つなぎ部４０、５６ａ、４０ａのそれぞれの一側に包装用中仕切の升目を構成し、縦片部の一部となる三片の内側分割縦片部４２、６０、５０が主切目４２ｂ、５８ｂ、５８ｃを介して開閉自在に設けられるとともにそれぞれの内側分割縦片部４２、６０、６２の一側に糊代部４２ａ、６０ａ、５０ａが形成されている。
用語「内側分割縦片部」とは、外側縦片部の対語であり、二枚が一組となり内側に位置する縦片部を構成するものである。
【００５５】
これらの主つなぎ部４０、５６ａ、４０ａの他側に主切目５８ｂ、５８ｃ、５２ｂを介して三片の外側縦片部４４、６２、５２が開閉自在に設けられている。
【００５６】
前記した三片の一側縦片部４８Ａ、中側縦片部４８Ｃ、他側縦片部４８Ｂとは、三片の内側分割縦片部４２、６０、５０と三片の外側縦片部４４、６２、５２のそれぞれの組み合わせによるものである。
【００５７】
三片の内側分割縦片部４２、６０、５０と三片の外側縦片部４４、６２、５２をそれぞれ開閉自在に設けるに際してこの発明では、たとえば、図面上、第１番目の外側縦片部４４と第２番目の内側分割縦片部６０の境の主切目５８ｂ、第２番目の外側縦片部６２と第３番目の内側分割縦片部５０の境の主切目５８ｃは、包装中仕切用原紙の左右方向の有効利用を図るため、それぞれ共用されているが、それぞれ独立させて主切目を形成してもよい。
本発明では、一定の面積に制約される余白部１０を有効活用することにより、仕切の縦片部を設けることを発明の目的としているから、主切目５８ｂ、５８ｃを共用しているに他ならない。
【００５８】
したがって、図面上、第１番目の内側分割縦片部４２と第２の内側分割縦片部６０および第３の内側分割縦片部５０の形態は異なることになるが、デザイン上の差異に止まり、機能上何らの相違はない。  
【００５９】
主つなぎ部の４０、５６ａ、４０ａ上下方向に略Ｖ字状の従切目が設けられ、使用時の利便性に備えて内側分割縦片部４２、６０、５０と外側縦片部４４、６２、５２を展開し易くしてある。
【００６０】
主つなぎ部４０、５６ａ、４０ａの上下方向の延長上に折目４６、４６ｃ、４６ｂが形成され、前記した略Ｖ字状の従切目と相まって一層、使用時の利便性に備えて内側分割縦片部４２、６０、５０と外側縦片部４４、６２、５２を展開し易く配慮されている。
【００６１】
主つなぎ部４０、５６ａ、４０ａの上下方向の延長上に倒立三角状の従つなぎ部４７、４７ｃ、４７ｂが上下方向の余白部１０に連繋して形成され、開閉時において内側分割縦片部４２、６０、５０と外側縦片部４４、６２、５２が千切れることのないように配慮されている。
【００６２】
以上の構成が一方の包装中仕切用シート６４Ａであるが、この発明では一方の包装中仕切用シート６４Ａの構成と共通な構成による他方の包装中仕切用シート６４Ｂを設ける（図２を参照）。
【００６３】
そして、一方の包装中仕切用シート６４Ａの糊代部４２ａ、６０ａ、５０ａと他方の包装中仕切用シート６４Ｂの糊代部４２ａ、６０ａ、５０ａが接着され、接着された両内側分割縦片部４２、６０、５０、外側縦片部４４、６２、５２および余白部１０により升目が形成されてなる折り畳み自在な包装用中仕切が設けられている。
【００６４】
この例では、独立した二枚の包装中仕切用シート６４Ａの糊代部４２ａ、６０ａ、５０ａと他方の包装中仕切用シート６４Ｂの糊代部４２ａ、６０ａ、５０ａを接着することにより、折り畳み自在な包装用中仕切を得ることを説明したが、さらに、糊代部４２ａ、６０ａ、５０ａの接着手段について詳細を説明する。
【００６５】
二枚の包装中仕切用シート６４Ａ、６４Ｂのうち、一方の包装中仕切用シート６４Ａを裏返し（対称の位置となる）、他方の包装中仕切用シート６４Ｂを他側へずらして重ね合わせ、一方の包装中仕切用シート６４Ａの図面上、第１番目の内側分割縦片部４２と他方の包装中仕切用シート６４Ｂの第３番目の内側分割縦片部５０、両第２番目の内側分割縦片部６０、６０および一方の包装中仕切用シート６４Ａの第３番目の内側分割縦片部５０と他方の包装中仕切用シート６４Ｂの第１番目の内側分割縦片部４２をそれぞれ対向させ、それぞれの糊代部４２ａ、６０ａ、５０ａの内側面に接着材を塗布させて接着されてなることにより折り畳み自在な包装用中仕切が得られる（図２を参照）。
【００６６】
図２に示される包装用中仕切は折り畳み時の状態であるが、使用に備えて一方の包装中仕切用シート６４Ａとを他方の包装中仕切用シート６４Ｂをそれぞれ外側へ引っ張ることにより、図３、図４に示されるように１２個の升目を有する展開された包装用中仕切を得ることができる。
【００６７】
なお、一方の包装中仕切用シート６４Ａと他方の包装中仕切用シート６４Ｂのそれぞれの糊代部４２ａ、６０ａ、５０ａを向かい合わせて接着するには、位置決めが必要であるが、前記したように一方の包装中仕切用シート６４Ａを裏返し、他方の包装中仕切用シート６４Ｂの裏面側へ配置するが、一側縦片部４８Ａ側の余白部１０の幅、第１番目の内側分割縦片部４２の幅を加算した幅α１を図面上右側へずらすことにより、それぞれの糊代部４２ａ、６０ａ、５０ａの位置決めを行うことができる。
【実施例２】
【００６８】
この実施例２は、実施例１の発明と比較して本質上の相違はない。
主として生産工程上の向上化を図り、併せて使用時における升目の姿勢の制御を図ることを目的としたものである。
したがって、相違点について言及し、共通する構成については、実施例１の図面と説明を援用する。
実施例１では、独立して生産された二枚の包装中仕切用シート６４Ａ、６４Ｂのうち、一方の包装中仕切用シート６４Ａを裏返し、他方の包装中仕切用シート６４Ｂの裏面側へ配置して糊代部４２ａ、６０ａ、５０ａの位置決めをするが、この例は、糊代部４２ａ、６０ａ、５０ａの位置決めを容易にしたものである。
【００６９】
図５ないし図７を参照して説明する。
方形の包装中仕切用原紙において、左右対称に前記した一方の包装中仕切用シート６４Ａと他方の包装中仕切用シート６４Ｂが設けられ、両包装中仕切用シート６４Ａ、６４Ｂ間に両側のそれぞれの折目Ａ、Ｂを介して規制片７０が設けられている。
規制片７０は、一対の包装中仕切用シート６４Ａ、６４Ｂ間に、包装用中仕切を展開したときに形成される升目の幅方向（たとえば図７を参照）の距離α２を備えたものである。
升目の幅方向の距離とは、たとえば図１０についていえば、升目の図面上の上下方向の端から端の距離のことである。
【００７０】
前記したように、接着済みの対向する一対の内側分割縦片部４２、５０についていえば、両包装中仕切用シート６４Ａ、６４Ｂ間において、一対の内側分割縦片部４２、５０の糊代部４２ａ、５０ａが接着され、接着された両内側分割縦片部４２、６２の幅方向の距離が升目の幅方向の距離に対応させてある。
換言すれば、接着された両内側分割縦片部４２、５０の幅方向の距離を升目の幅方向の距離に対応させるためには、糊代部４２ａ、５０ａの幅を調整することによって設定できる。
他方、接着された両内側分割縦片部４２、５０の幅方向の距離を升目の幅方向の距離に対応させたが（以下対応距離という）、この対応距離に前記した規制片７０の幅を対応させることにより、一層、位置決め幅の設定が実施し易い。
【００７１】
そこで、本例の一方の包装中仕切用シート６４Ａと他方の包装中仕切用シート６４Ｂにより、包装用中仕切を得る構成を説明する。
予め、一方の包装中仕切用シート６４Ａ又は他方の包装中仕切用シート６４Ｂのそれぞれの糊代部４２ａ、６０ａ、５０ａに接着材を塗布しておく。
もっとも、一対のそれぞれの糊代部４２ａ、６０ａ、５０ａに接着材を塗布することは自由である。
【００７２】
一方の包装中仕切用シート６４Ａ寄りの折目Ｂを境にして裏返し、一方の包装中仕切用シート６４Ａを他方の包装中仕切用シート６４Ｂの裏面に配置する。
かくして、他方の包装中仕切用シート６４Ｂは一方の包装中仕切用シート６４Ａ上に位置決めが設定されるから、実施例１の中仕切のように、他方の包装中仕切用シート６４Ｂをいちいち他側へずらす手間を必要としなく、規制片７０に制御されたその幅の距離に対応した幅が図面上右側へ自動的にずれて配置でき、一方の包装中仕切用シート６４Ａと他方の包装中仕切用シート６４Ｂのそれぞれの対向する糊代部４２の糊代部４２ａ、一方の中仕切用シート５４Ａの第１の内側分割縦片部４２の糊代部４２ａと他方の中仕切用シート５４Ｂの第２の内側分割縦片部５０の糊代部５０ａのそれぞれの内側面が接着された包装用中仕切を得ることができる（図５、６、７を参照）。
【実施例３】
【００７３】
この実施例は必ずしも一般的ではないものの、９本のワインボトルＷを収納できる仕切を提供するものである。
この実施例の仕切は、基本的構成において、前記した１２個の升目を構成する実施例１の中仕切と変化は少ないので共通する点については説明を援用し、省略してある。
以下図８ないし図１０を参照して説明する。
この例は、実施例１、２において、いわば、中側縦片４８Ｃを除き、一対の一側縦片４８Ａおよび他側縦片４８Ｂを組み合わせたものに等しいといえる。
【００７４】
方形の包装中仕切用原紙において、四辺寄りに中仕切の横片部を構成するこのとになる余白部１０が残され、上下方向に主つなぎ部４０が残され、前記の主つなぎ部４０の一側に縦長であって略コ字状の切目４２ｂを形成することにより、一側に糊代部４２ａを備えた第１の内側分割縦片部４２が形成されている。
【００７５】
前記の主つなぎ部４０の他側に主つなぎ部４０を介して第１の内側分割縦片部４２と一体の第１の外側縦片部４４が凹部の切目４４ｂにより形成されている。
【００７６】
第１の内側分割縦片部４２と第１の外側縦片部４４の境の主つなぎ部４０の上下端の延長上に折目４６が形成された一側縦片４８Ａが設けられている。
【００７７】
凹部が形成された第１の外側縦片部４４に隣接して、上下方向に主つなぎ部４０ａが残存され、主つなぎ部４０ａの一側に切目４４ｂを介して縦長の第２の内側分割縦片部５０が形成されるとともに、第２の内側分割縦片部５０の一側に第１の外側縦片部４４の他側に凹部を切目４４ｂにより形成させたことによる凹部
と対称の凸部による糊代部５０ａが形成され、主つなぎ部４０ａの他側に縦長であって略コ字状の切目５２ｂを形成することにより第２の外側縦片部５２が形成されている。
【００７８】
凸部による糊代部５０ａを備えた第２の内側分割縦片部５０とその他側の上下端の延長上に折目４６ｂが形成された他側縦片４８Ｂが設けられてなる一方の中仕切用シート５４Ａと、一方の中仕切用シート５４Ａと同一の構成による他方の中仕切用シート５４Ｂとからなり、一方の中仕切用シート５４Ａを裏返し、他方の中仕切用シート５４Ｂを他側へずらして重ね合わせ、一方の中仕切用シート５４Ａの第２の内側分割縦片部５０の糊代部５０ａと他方の中仕切用シート５４Ｂの第１の内側分割縦片部４２の糊代部４２ａ、一方の中仕切用シート５４Ａの第１の内側分割縦片部４２の糊代部４２ａと他方の中仕切用シート５４Ｂの第２の内側分割縦片部５０の糊代部５０ａのそれぞれの内側面が接着されてなる包装用中仕切である。
【実施例４】
【００７９】
この実施例の仕切は、基本的構成において、６個の升目を備えた中仕切の例である。
実施例１ないし３の中仕切と発明の本質の変化は少ないので共通する点については説明を援用し、省略してある。
以下図１１ないし図１３を参照して説明する。
この例は、実施例１、２、３において、いわば、一対の一側縦片４８Ａを組み合わせものに等しいといえる。
【００８０】
方形の包装中仕切用原紙において、四辺寄りに中仕切の横片部を構成することになる余白部１０が残され、包装中仕切用原紙の上下方向に余白部１０につながる主つなぎ１２が残存され、主つなぎ部１２の一側に縦長であって略コ字状の切目１４ｂを形成することにより、一側に糊代部１４ａを備えた内側分割縦片部１４が形成されている。
【００８１】
主つなぎ部１２の他側に内側分割縦片部１４と一体の外側縦片部１６が切目１６ｂを介して備えられ、内側分割縦片部１４と外側縦片部１６の境の主つなぎ部１２の上下端の延長上に折目１８が形成されてなる一方の中仕切用シート２０Ａと、前記の一方の中仕切用シート２０Ａと同一の形態による他方の中仕切用シート２０Ｂとからなり、一方の中仕切用シート２０Ａを裏返し、他方の中仕切用シート２０Ｂを他側へずらして重ね合わせ、一方の中仕切用シート２０Ａの内側分割縦片部１４の糊代部１４ａと他方の中仕切用シート２０Ｂの内側分割縦片部１４の糊代部１４ａのそれぞれの内側面が接着されてなる包装用中仕切である。
【実施例５】
【００８２】
この実施例は、升目数を１５個以上設けるようにしたもので、前記した一側縦片４８Ａと他側縦片４８Ｂとの間に中側縦片４８Ｃを２組以上設けるようにしたものである（図１４を参照）。
【実施例６】
【００８３】
この実施例は、升目数を２０個設けるようにしたもので、前記した包装用仕切の二組が並列状態に配置され、外側縦片が互いに接着されてなるものであり、図１５の例では升目数が２０個の例である。
【実施例７】
【００８４】
この実施例は、図１６に示すように、先の実施例において、
包装中仕切用原紙に、切目による外側縦片部が形成されることなく、外側縦片部が包装中仕切用原紙の余白部１０と一体に設けられてなるものである。
したがって、内側分割縦片部４２、６０、５０により升目が形成されるから、升目数は減少するが、余白部の面積の増加により、中仕切の強度の増加に寄与する。
【００８５】
この実施例を図１６を参照して説明すると、一対の中仕切用シート６４Ａ、６４Ｂにおいて、中仕切用シートに切目による外側縦片部が形成されることなく、外側縦片部が中仕切材料用シートの余白部１０と一体に設けられてなるものである。
この例によれば、必要に応じて、両側の第１の内側分割縦片部４２のみを採用すれば４個の升目を備えた中仕切を得ることができる。
前記した実施例７、８の内側分割縦片部４２、５０、６０は余白部に対して直角方向へ折り曲げることになるから、余白部と内側分割縦片部４２、５０、６０の境には折目４１を形成することが好ましい。
【実施例８】
【００８６】
本例を図１７、図１８を参照して説明する。
本例は、方形の包装中仕切用原紙から、とりわけ、幅方向の距離の大きい内側分割縦片部４２と外側縦片部４４を得ることを目的にした例である。
この例も実施例１〜７の例と同様に包装中仕切用原紙において、余白部１０を横片部として採用し、余白部１０の内側を利用して内側分割縦片部４２と外側縦片部４４を設ける点で共通するものの、実施例１ないし７では達成できない以下の特徴を有するものである。
【００８７】
余白部１０（換言すれば横片部である）の面積を必要かつ最小限に制約することにより、縦片部（内側分割縦片部と外側縦片部）の設定範囲を拡大できることが試みられている。
実施例１〜７では、中仕切の横片部を構成する余白部１０は包装中仕切用原紙の四辺寄りの全てに残存されたものであったが、この例では、方形の包装中仕切用原紙において、四辺寄りのうち、少なくとも上下方向の二辺寄りに包装用中仕切の横片部を構成する余白部１０が残された方形の包装中仕切用原紙を材料に採用したものである。
【００８８】
したがって、包装中仕切用原紙の左右方向に、余白部１０を残存させることが予定されていなから、余白部１０を大きく利用できる例である。
余白部が残存しない分だけ、包装中仕切用原紙の左右方向を有効活用できるので、内側分割縦片部４２と外側縦片部４４の面積を前記の実施例に比較して大きく設定できるものである。
前記の例では、内側分割縦片部４２と外側縦片部４４の幅方向の距離に制約を受けるので、使用時に包装用箱８０の側板と外側縦片部４４との間に隙間の発生を余儀なくされ、隙間を埋める充填部材を必要とする場合もあったが、その課題を解消するものである（図１８を参照）。
【００８９】
方形の包装中仕切用原紙において、四辺のうち、少なくとも上下方向の二辺寄りに包装用中仕切の横片部を構成する余白部１０が残され、上下方向の余白部１０に連繋された上下方向の主つなぎ部４０が残され、該主つなぎ部４０の一側に包装用中仕切の升目を構成する縦片部の一部となる内側分割縦片部４２が主切目を介して開閉自在に設けられるとともに該内側分割縦片部の一側に糊代部が形成されている。
該主つなぎ部４０の他側に主切目を介して外側縦片部４４が開閉自在に設けられてなる一対の包装中仕切用シート６４Ａ、６４Ｂが設けられている。
【００９０】
一方の包装中仕切用シート６４Ａの内側分割縦片部４２の糊代部と他方の包装中仕切用シート６４Ｂの内側分割縦片部４２の糊代部が接着され、接着された両内側分割縦片部４２、外側縦片部６２および余白部１０により升目が形成されてなるもので、その余の構成はそっくり先の実施例１〜７と共通であるから、図面と説明を援用する。  
【００９１】
図１７の例では、図面上、上下方向に余白部１０が設けられ、図面上、左側には余白部が設けられていない。
図面上、右側に不連続の余白部１０が設けられているが、必須のものではなく、使用上の用途により省略することが予定されている。
図１９の例では、図面上、上下方向に余白部１０が設けられ、図面上、右側には余白部が設けられていない。
図面上、左側に余白部１０が設けられているが、必須のものではなく、使用上の用途により省略することが予定されている。
【実施例９】
【００９２】
この例は、中仕切を包装用箱内に収容したときに、中仕切が妄動しないように配慮された例である。
図２０、２１を参照して説明すると、包装用箱内に収容したときに、包装用箱の側片８０との間の隙間を減少することにより、妄動を抑制するように余白部１０たとえば縦片部を設けない面積の広い上方の余白部１０を利用して開閉自在な妄動抑制片６１が備えられている。
開閉自在な妄動抑制片６１は、先に説明した内側分割縦片部と外側縦片部の組み合わせをそっくり採用すればよい。
もっとも、内側分割縦片部と外側縦片部の幅方向の距離は、包装用箱８０の側片との間の隙間βを発生しないように大きく設定することはいうまでもない（図２１を参照）。
その余の構成は、先の実施例１〜７とそっくり共通である。
【実施例１０】
【００９３】
図２２を参照して説明すると、一方の包装中仕切用シートの該内側分割縦片部５０と他方の包装中仕切用シートの内側分割縦片部４２の幅方向の距離（図面上の上下方向）が長短に分けて設けられ、両内側分割縦片部の糊代部４２ａが接着されることにより、糊代部４２ａが升目の中心からずれ、片寄せることも発明者は予定している（図２２を参照）。
ワインボトルＷなどの被包装物では、商標などを表示した紙製のラベルＲが貼付されることが普通であるが、両内側分割縦片部４２、５０の重合された糊代部４２ａが升目の中心位置にある場合、糊代部４２ａに段部が発生することにより、その段部にラベルＲが当接することより損傷を受けるおそれを回避することを意図して糊代部４２ａの位置を升目の中心からずらしているものである。
【実施例１１】
【００９４】
該折り畳み自在な規制片７０の対向位置において、展開したときに形成される升目の幅方向の距離に等しい幅を有する折り畳み自在な第２の規制片７１が一対の包装中仕切用シート６８Ａ６８Ｂ間に設けられてなるものである。
第２の規制片７１を開き、あるいは規制片７０と平行に設定することにより、使用時に中仕切を包装用箱８０内で妄動しないようにできる（図２３、２４、２５を参照）。
【００９５】
実施例８〜１１の構成は、そっくり、実施例１〜７の発明にも組み合わせできから、実施例８〜１１の説明と図面の記載を援用する。
また、実施例１〜７の構成は、そっくり、実施例８〜１１の発明にも組み合わせでるきから、実施例１〜７の説明と図面の記載を援用する。
実施例８〜１１の発明は、実用新案登録第３１１８２５６号公報に記載のない特徴である。
【図面の簡単な説明】
【００９６】
【図１】この発明の実施の形態に係る包装用中仕切用シートの平面図である（実施例１）。
【図２】この発明の実施の形態に係る包装用中仕切の折り畳み時の平面図である（実施例１）。
【図３】この発明の実施の形態に係る包装用中仕切の斜視図である（実施例１）。
【図４】この発明の実施の形態に係る包装用中仕切の使用状態の平面による説明図である（実施例１）。
【図５】この発明の実施の形態に係る包装用中仕切用シートの平面図である（実施例２）。
【図６】この発明の実施の形態に係る包装用中仕切の折り畳み時の平面図である（実施例２）。
【図７】この発明の実施の形態に係る包装用中仕切の斜視図である（実施例２）。
【図８】この発明の実施の形態に係る包装用中仕切用シートの平面図である（実施例３）。
【図９】この発明の実施の形態に係る包装用中仕切の斜視図である（実施例３）。
【図１０】この発明の実施の形態に係る包装用中仕切の使用状態の平面による説明図である（実施例３）。
【図１１】この発明の実施の形態に係る包装用中仕切用シートの平面図である（実施例４）。
【図１２】この発明の考案の実施の形態に係る包装用中仕切の斜視図である（実施例４）。
【図１３】この発明の実施の形態に係る包装用中仕切の使用状態の平面による説明図である（実施例４）。
【図１４】この発明の実施の形態に係る包装用中仕切の使用状態の平面による説明図である（実施例５）。
【図１５】この発明の実施の形態に係る包装用中仕切の使用状態の平面による説明図である（実施例６）。
【図１６】この発明の実施の形態に係る包装用中仕切の斜視図である（実施例７）。
【図１７】この発明の実施の形態に係る包装用中仕切の斜視図である（実施例８）。
【図１８】この発明の実施の形態に係る包装用中仕切の使用状態の平面による説明図である（実施例８）。
【図１９】この発明の実施の形態に係る別の包装用中仕切の斜視図である（実施例８）。
【図２０】この発明の実施の形態に係る包装用中仕切の斜視図である（実施例９）。
【図２１】この発明の実施の形態に係る包装用中仕切の使用状態の平面による説明図である（実施例９）。
【図２２】この発明の実施の形態に係る包装用中仕切の使用状態の平面による一部拡大説明図である（実施例１０）。
【図２３】この発明の実施の形態に係る包装用中仕切の斜視図である（実施例１１）。
【図２４】この発明の実施の形態に係る包装用中仕切の使用状態の平面による一部拡大説明図である（実施例１１）。
【図２５】この発明の実施の形態に係る包装用中仕切の使用状態の斜視図平である（実施例１１）。
【図２６】この発明の背景技術の斜視図である。
【図２７】この発明の他の背景技術の斜視図である。
【符号の説明】
【００９７】
１０  余白部
１０ａ  一側縦片寄りの余白部
１２  主つなぎ部
１４  内側分割縦片部
１４ａ  糊代部
１４ｂ  切目
１６  外側縦片部
１６ｂ  切目
１８  折目
１８ａ  従つなぎ部
２０Ａ  一方の中仕切用シート
２０Ｂ  他方の中仕切用シート
４０  主つなぎ部
４０ａ  主つなぎ部
４１  折目
４２  第１の内側分割縦片部
４２ａ  糊代部
４２ｂ  切目
４４  第１の外側縦片部
４４ｂ  切目
４６  折目
４６ｂ  折目
４６ｃ  折目
４７  従つなぎ部
４７ｂ  従つなぎ部
４７ｃ  従つなぎ部
４８Ａ  一側縦片
４８Ｂ  他側縦片
４８Ｃ  中側縦片
４８ｂ  切目
５０  第２の内側分割縦片部
５０ａ  糊代部
５２ｂ  切目
５２  第２の外側縦片部
５４Ａ  一方の中仕切用シート
５４Ｂ  他方の中仕切用シート
５６ａ  主つなぎ部
５８ｂ  切目
６０  第３の内側分割縦片部
６０ａ  糊代部
６１    妄動抑制片
６２  第３の外側縦片部
６２ｂ  切目
６４Ａ  一方の中仕切用シート
６４Ｂ  他方の中仕切用シート
７０  規制片
７１  第２の規制片
８０  包装用箱
Ａ  規制片の折目
Ｂ  規制片の折目
Ｗ  ワインボトル
α１  一側縦片寄りの余白部の幅、第１の内側分割縦片部の幅を加算した幅の距離
α２  包装用中仕切を展開したときに形成される升目の幅方向の距離に等しい規制の幅方向の距離
β   包装用中仕切を展開したときに生じる包装用箱の側片と外側縦片間の隙間
【図１】
2007145427.tif 000003
【図２】
2007145427.tif 000004
【図３】
2007145427.tif 000005
【図４】
2007145427.tif 000006
【図５】
2007145427.tif 000007
【図６】
2007145427.tif 000008
【図７】
2007145427.tif 000009
【図８】
2007145427.tif 000010
【図９】
2007145427.tif 000011
【図１０】
2007145427.tif 000012
【図１１】
2007145427.tif 000013
【図１２】
2007145427.tif 000014
【図１３】
2007145427.tif 000015
【図１４】
2007145427.tif 000016
【図１５】
2007145427.tif 000017
【図１６】
2007145427.tif 000018
【図１７】
2007145427.tif 000019
【図１８】
2007145427.tif 000020
【図１９】
2007145427.tif 000021
【図２０】
2007145427.tif 000022
【図２１】
2007145427.tif 000023
【図２２】
2007145427.tif 000024
【図２３】
2007145427.tif 000025
【図２４】
2007145427.tif 000026
【図２５】
2007145427.tif 000027
【図２６】
2007145427.tif 000028
【図２７】
2007145427.tif 000029